(57)【特許請求の範囲】
【請求項１】
傾斜して配置された斜材をほぼ水平に支持された木製の横架材又は鉛直に支持された木製の鉛直材に接合する斜材の接合構造であって、
前記横架材又は前記鉛直材には、棒状となった軸部の外周面に螺旋状の翼体を有するとともに前記軸部の端面から軸線方向にネジ穴を有する第１のスクリュー部材が、該横架材又は前記鉛直材の軸線に対して傾斜し、前記斜材の軸線方向にねじ込まれ、
前記斜材の端部には接合金具が固着され、
前記第１のスクリュー部材の前記ネジ穴にねじ込まれたボルトを介して前記接合金具が前記第１のスクリュー部材に連結されていることを特徴とする斜材の接合構造。
【請求項２】
棒状となった軸部の外周面に螺旋状の翼体を有するとともに、前記軸部の端面から軸線方向にネジ穴を有する第２のスクリュー部材が、木製の前記斜材の端面から該斜材の軸線方向にねじ込まれ、
該第２のスクリュー部材の前記ネジ穴にねじ込まれたボルトによって前記接合金具が前記第２のスクリュー部材に固着されていることを特徴とする請求項１に記載の斜材の接合構造。
【請求項３】
前記斜材の端部には、該斜材の軸線に対して傾斜し、接合される前記横架材のほぼ水平となった面又は前記鉛直材のほぼ鉛直となった面に当接される当接面と、
前記斜材の軸線と垂直となった垂直面とを有し、
前記接合金具は、該垂直面と対向するように固着されていることを特徴とする請求項１又は請求項２に記載の斜材の接合構造。
【請求項４】
前記当接面の一部又は全部が、前記垂直面より該斜材の先端側に突き出した部分に形成されており、
前記垂直面と前記当接面との間には、該斜材の軸線と平行となる軸方向面を有し、
前記接合金具は、側面が前記軸方向面と接触又は斜材が軸線に対して横方向に変位するのを拘束するように近接して前記斜材に固着されていることを特徴とする請求項３に記載の斜材の接合構造。
【請求項５】
前記横架材又は前記鉛直材に埋め込まれる前記第１のスクリュー部材の前記ネジ穴には、接続ボルトがねじ込まれ、該接続ボルトが前記横架材又は前記鉛直材の表面より突出しており、
前記接合金具が有する前記斜材の軸線と垂直となる面を前記接続ボルトの端面に当接して、該接合金具が前記接続ボルトを介して前記第１のスクリュー部材に連結されていることを特徴とする請求項１から請求項４までのいずれかに記載の斜材の接合構造。
【請求項６】
下層階の柱の上部より片持ち状に張り出して支持された木製の横架材と、
前記横架材より上方に立ち上げられた木製の上層階の柱と、
前記上層階の柱と前記横架材の片持ち状に張り出した部分とを斜め方向に連結する木製の斜材とを有し、
前記斜材と前記上層階の柱との接合部又は前記斜材と前記横架材との接合部が、請求項１から請求項５までのいずれかに記載の斜材の接合構造を備えることを特徴とする木造建築構造躯体。
【発明の詳細な説明】
【技術分野】
【０００１】
本発明は、木造の建築物において斜め方向に配置される斜材を、ほぼ水平方向に配置された梁又は鉛直方向に配置された柱に接合するための接合構造及び斜材を用いた木造建築構造躯体に関するものである。
【背景技術】
【０００２】
木造建築物において、木部材を斜め方向に配置し、斜材として用いられることがある。例えば、構造躯体に作用する水平方向の力に抵抗するための筋交いとして用いられるもの、張り出し梁を吊り支持する斜材として用いられるもの、張り出し梁を斜め下方から支持する斜材として用いられるもの等がある。このような斜材の端部は、一般にほぼ水平方向に支持された横架材又は鉛直方向に立設された柱に接合される。
【０００３】
斜材の端部を木部材である横架材又は柱に接合する構造としては、例えば特許文献１及び特許文献２に記載されるものがある。
特許文献１に記載される斜材は、土台とこれに立設された柱との接合部に端部が結合される筋交いであり、土台と柱との双方に固定された接合金具及び接合金具に連結されたコネクタを介して結合されるものである。接合金具は複数のラグスクリューによって柱及び土台に固定されており、筋交いにはコネクタが固定されている。そして、コネクタがピンボルトによって接合金具に回動が可能に連結されるものとなっている。
【０００４】
特許文献２に記載の斜材は、建築物の構造躯体から張り出すように設けられた木材からなるベランダ受け梁を吊り支持する吊り金具であり、両端が柱材とベランダ受け梁に接合されている。これらの接合は、木部材であるベランダ受け梁又は柱材にこれらの部材の軸線と直角方向にボルトを貫通させ、これらのボルトを吊り金具のリング状となった受部に挿通してナットで締め付けるものとなっている。
【先行技術文献】
【特許文献】
【０００５】
【特許文献１】特開２００８−１５０８９３号公報
【特許文献２】特開２００４−３０８２７４号公報
【発明の概要】
【発明が解決しようとする課題】
【０００６】
上記従来の技術には、次に説明するような解決が望まれる課題がある。
特許文献１に記載されているように、ラグスクリューやビスで木部材に固定された接合金具を介して斜材を接合すると、斜材に大きな引張力が作用したときにラグスクリューを引き抜こうとする力が生じる。そして、終局的な状態では、ラグスクリュー等が引き抜かれるか、またはラグスクリューがねじ込まれている範囲で木部材の一部に割れが生じて耐力が急激に低下する。このため、大きな引張力が作用する斜材について適用することが難しい。
【０００７】
一方、特許文献２に記載されているように、木部材を貫通するボルトを介して斜材を梁又は柱に接合する構造では、斜材から大きな引張力又は圧縮力が作用すると、ボルトに梁又は柱の軸線方向の力が作用する。つまり、ボルトの軸線とは直角方向の成分を含む力が作用し、ボルトの側面を周囲の木部材に強く押し付けることになる。このため、ボルトの位置が梁又は柱の軸線方向に変位する虞が生じる。このため、例えば特許文献２に記載されているように斜材でベランダ受け梁を吊り支持する構造では、斜材に大きな引張力が作用したときに、ボルトの変位によってベランダ受け梁が下方へたわむことがある。
【０００８】
本発明は、上記のような事情に鑑みてなされたものであり、その目的は、木部材からなる横架材又は柱と接合されて引張力又は圧縮力が作用する斜材の接合構造であって、横架材又は柱との相対的な変位を小さく抑えることができる斜材の接合構造、及び片持ち状に張り出した横架材のたわみを、斜材を用いて小さく抑えることができる木造建築構造躯体を提供することである。
【課題を解決するための手段】
【０００９】
上記課題を解決するために、請求項１に係る発明は、  傾斜して配置された斜材をほぼ水平に支持された木製の横架材又は鉛直に支持された木製の鉛直材に接合する斜材の接合構造であって、  前記横架材又は前記鉛直材には、棒状となった軸部の外周面に螺旋状の翼体を有するとともに前記軸部の端面から軸線方向にネジ穴を有する第１のスクリュー部材が、該横架材又は前記鉛直材の軸線に対して傾斜し、前記斜材の軸線方向にねじ込まれ、  前記斜材の端部には接合金具が固着され、  前記第１のスクリュー部材の前記ネジ穴にねじ込まれたボルトを介して前記接合金具が前記第１のスクリュー部材に連結されている斜材の接合構造を提供する。
【００１０】
この斜材の接合構造では、第１のスクリュー部材が横架材又は鉛直材に対して、斜材の軸線方向にねじ込まれているので、斜材に作用する軸線方向の力は第１のスクリュー部材に対してその軸線方向に伝達される。そして、第１のスクリュー部材の周面に形成されている螺旋状の翼体から木製の横架材又は鉛直材に伝達される。したがって、第１のスクリュー部材の周面の広い範囲から木製の部材に力が伝達されるとともに、第１のスクリュー部材の周面に軸線と直角方向の大きな力が作用するのが回避される。これにより、斜材の軸力は、接合される木製の横架材又は鉛直材に局部的に大きな応力を生じさせることなく伝達される。そして、第１のスクリュー部材が横架材又は鉛直材の軸線方向へ変位するのを小さく抑えることができる。
【００１１】
請求項２に係る発明は、請求項１に記載の斜材の接合構造において、  棒状となった軸部の外周面に螺旋状の翼体を有するとともに、前記軸部の端面から軸線方向にネジ穴を有する第２のスクリュー部材が、木製の前記斜材の端面から該斜材の軸線方向にねじ込まれ、  該第２のスクリュー部材の前記ネジ穴にねじ込まれたボルトによって前記接合金具が前記第２のスクリュー部材に固着されているものとする。
【００１２】
この斜材の接合構造では、斜材の軸力は第２のスクリュー部材に対して該スクリュー部材の周面の広い範囲で伝達され、この第２のスクリュー部材から接合金具を介して第１のスクリュー部材に伝達される。したがって、第２のスクリュー部材と木製の斜材との間の相対的な変位を小さく抑えることができ、斜材と木製の横架材又は鉛直材との間で斜材の軸線方向の相対的な変位が生じるのを小さく抑えることができる。
【００１３】
請求項３に係る発明は、請求項１又は請求項２に記載の斜材の接合構造において、  前記斜材の端部には、該斜材の軸線に対して傾斜し、接合される前記横架材のほぼ水平となった面又は前記鉛直材のほぼ鉛直となった面に当接される当接面と、  前記斜材の軸線と垂直となった垂直面とを有し、  前記接合金具は、該垂直面と対向するように固着されているものとする。
【００１４】
この斜材の接合構造では、斜材の端部の当接面を横架材又は鉛直材に当接させて支持し、安定した状態で、接合金具を介して斜材と横架材又は鉛直材とを接合する作業を行うことができる。また、接合金具は斜材の垂直面に対向させた状態で該斜材に固着することができ、斜材の軸力が接合金具に安定して伝達される。
【００１５】
請求項４に係る発明は、請求項３に記載の斜材の接合構造において、  前記当接面の一部又は全部が、前記垂直面より該斜材の先端側に突き出した部分に形成されており、  前記垂直面と前記当接面との間には、該斜材の軸線と平行となる軸方向面を有し、  前記接合金具は、側面が前記軸方向面と接触又は斜材が軸線に対して横方向に変位するのを拘束するように近接して前記斜材に固着されているものとする。
【００１６】
この斜材の接合構造では、斜材に軸線と直角方向に変位させようとする力が作用したときに、接合する横架材又は鉛直材に接近する方向へは当接面に作用する圧接力によって拘束される。一方、横架材又は鉛直材から離れる方向へは、垂直面より突き出した部分に形成された軸方向面が接合金具の側面に当接されて斜材の変位が拘束される。したがって、接合金具が斜材の軸線に対して横方向に回転するような変位を抑えることができる。すなわち、第１のスクリュー部材、接合金具及び斜材の連結体に、いわゆる横折れが生じるのを抑えることができる。
【００１７】
請求項５に係る発明は、請求項１から請求項４までのいずれかに記載の斜材の接合構造において、  前記横架材又は前記鉛直材に埋め込まれる前記第１のスクリュー部材の前記ネジ穴には、接続ボルトがねじ込まれ、該接続ボルトが前記横架材又は前記鉛直材の表面より突出しており、  前記接合金具が有する前記斜材の軸線と垂直となる面を前記接続ボルトの端面に当接して、該接合金具が前記接続ボルトを介して前記第１のスクリュー部材に連結されているものとする。
【００１８】
この斜材の接合構造では、第１のスクリュー部材を木製の横架材又は鉛直材に埋め込まれるようにねじ込み、第１のスクリュー部材の周面の広い範囲で軸線方向の力を伝達することが可能となる。そして、第１のスクリュー部材がねじ込まれた横架材又は鉛直材は、第１のスクリュー部材が埋め込まれて突き出した部分がないので搬送や建て込み等の取り扱いを容易に行うことができる。そして、斜材を接合するときに接続ボルトを第１のスクリュー部材のネジ穴にねじ込んで接続するともに、横架材又は鉛直材から突き出した接続ボルトに対して、接合金具の第１のスクリュー部材の軸線と垂直となった面を当接させて結合することができる。したがって、斜材の軸力が接合金具を介して第１のスクリュー部材に安定した状態で伝達される構造とすることができる。
【００１９】
請求項６に係る発明は、  下層階の柱の上部より片持ち状に張り出して支持された木製の横架材と、  前記横架材より上方に立ち上げられた木製の上層階の柱と、  前記上層階の柱と前記横架材の片持ち状に張り出した部分とを斜め方向に連結する木製の斜材とを有し、  前記斜材と前記上層階の柱との接合部又は前記斜材と前記横架材との接合部が、請求項１から請求項５までのいずれかに記載の斜材の接合構造を備える木造建築構造躯体を提供するものである。
【００２０】
この木造建築構造躯体では、下層階の柱より張り出した横架材を、斜材に作用する引張力によって支持することができるともに、斜材と上層階の柱との接合部及び斜材と横架材との接合部が大きな負荷に耐え得るので横架材の張り出しを大きく設定することができる。
また、横架材及び上層階の柱には斜材の軸線方向にスクリュー部材がねじ込まれており、該スクリュー部材を介して斜材の軸力が横架材又は柱に伝達されるので、負荷が作用したときの斜材と横架材又は柱との相対的な変位が小さく抑えられる。したがって張り出した横架材の下方へのたわみを小さく抑えることができる。
【発明の効果】
【００２１】
以上説明したように、本発明に係る斜材の接合構造では、木製の横架材又は鉛直材と接合されて引張力又は圧縮力が作用する斜材を、横架材又は鉛直材に局部的に大きな応力を生じさせることなく接合するともに、横架材又は鉛直材との相対的な変位を小さく抑えることができる。また、本発明の木造建築構造躯体では、斜材を用いて片持ち状に張り出して支持された横架材を支持し、横架材の張り出した部分のたわみを小さく抑えることができる。
【図面の簡単な説明】
【００２２】
【図１】本発明に係る斜材の接合構造を適用することができる木造建築構造躯体の一部を示す概略側面図である。
【図２】図１に示す木造建築構造躯体の一部を示す概略斜視図である。
【図３】図１又は図２に示す木造建築構造躯体で使用される斜材の端部を片持ち状に張り出した梁と接合する構造であって、本発明の一実施形態である斜材の接合構造を示す概略側面図である。
【図４】図３に示す斜材の接合構造で用いられるスクリュー部材の側面図及び端面図である。
【図５】図３に示す斜材の接合構造で用いられる接続ボルトの側面図及び正面図である。
【図６】図３に示す斜材の接合構造で用いられる接合金具の概略斜視図である。
【図７】図１又は図２に示す木造建築構造躯体で使用される斜材の端部を柱と接合する構造であって、本発明の他の実施形態である斜材の接合構造を示す概略側面図である。
【図８】斜材を主に圧縮力が作用する部材として用い、該斜材の接合に本発明に係る斜材の接合構造を適用することができる木造建築構造躯体の一例を示す概略斜視図である。
【発明を実施するための形態】
【００２３】
以下、本発明の実施の形態を図に基づいて説明する。
図１は、本発明に係る斜材の接合構造を適用することができる木造建築構造躯体の一部を示す概略側面図である。また、図２は、図１に示す木造建築構造躯体の一部を示す概略斜視図である。
この木造建築構造躯体は、木部材を主材料として構築された多層建築物の構造躯体であって、上層階すなわち２階から４階までに、一階部分の外壁に沿った位置にある柱２より外側に張り出した張り出し部１を有するものとなっている。この構造躯体の一階部分は基礎４上に柱２，３を立設し、その上に横架材である梁５を架け渡して形成されている。外壁に沿った位置にある柱２と基礎４との接合部及びこの柱２と梁５との接合部は、双方の部材間で相対的な回転変位が可能な構造、すなわち曲げモーメントの伝達が期待されていない構造となっている。また、外壁より内側にある柱３と基礎４との接合部及びこの柱３と梁５との接合部は曲げモーメントの伝達が生じる構造とされ、柱３と梁５とがラーメン構造となっている。
【００２４】
二階部分は、一階部分の柱２，３上に架け渡された梁５の上に柱６，７を立設し、これらの上に梁８を架け渡すことによって形成され、さらに三階部分、四階部分はこれらの下層階の柱上に架け渡された梁上に柱を立設し、その上に梁を架け渡すことによって形成されている。
【００２５】
一階部分の柱２，３上に支持された第１の梁５、二階部分の柱６，７上に支持された第２の梁８、三階部分の柱９，１０上に支持された第３の梁１１は、それぞれ二階、三階、四階の床を支持するものであり、四階部分の柱１２，１３上に支持された第４の梁１４は四階部分の天井を支持するものである。これらの梁５，８，１１，１４は、一階部分の外壁に沿って立設された柱２の位置より外側に張り出したものとなっている。そして、二階部分、三階部分及び四階部分の床を支持する梁５，８，１１の先端付近と一階部分の外壁に沿った位置で当該梁５，８，１１上に立設された柱６，９，１２の上部との間に、傾斜して斜材１５，１６，１７が架け渡されている。これらの斜材１５，１６，１７に作用する引張力によって張り出した梁５，８，１１を吊り支持し、張り出し部１を支持する柱２，６，９上で梁５，８，１１に生じる曲げモーメントを低減するとともに、張り出し部１のたわみを抑えるものとなっている。なお、張り出した梁５，８，１１の先端部には、軸柱１８が立設され、この軸柱１８の上端が上層階の梁８，１１，１４の下面に接続されている。
【００２６】
このような柱２，３，６，７，９，１０，１２，１３と、梁５，８，１１，１４と、斜材１５，１６，１７とを主要部とする構造躯体が、図２に示すように複数併設され、これらを横梁１９で連結することによって張り出し部１を有する構造躯体となっている。
【００２７】
上記梁５，８，１１，１４は、断面の形状が上下方向に長辺を有する扁平な長方形となっており、上下方向の曲げモーメントに抵抗するものとなっている。また、柱２，３，６，７，９，１０，１２，１３の断面も梁５，８，１１，１４の軸線方向に長辺を有する扁平な長方形となっている。
上記斜材１５，１６，１７は、断面形状が長方形であって、傾斜して架け渡されたときの幅方向より上下方向の寸法がやや大きくなっている。
これらの梁、柱及び斜材は、いずれも一つの材木から切り出された無垢の木材であってもよいし、複数の小断面の木材すなわちラミナを張り合わせた集成材等であってもよい。
【００２８】
図３は、本発明の一実施形態である斜材の接合構造であって、図１及び図２に示す木造建築構造躯体の梁５と斜材１５との接合構造を示す概略側面図である。
この接合構造は、梁５に対してその軸線の斜め方向にねじ込まれた第１のスクリュー部材２０と、この第１のスクリュー部材２０に接続された接続ボルト３０と、この接続ボルト３０に連結用ボルト６１によって連結された接合金具４０と、斜材１５の軸線方向にねじ込まれ、連結用ボルト６２によって上記接合金具４０が固着される第２のスクリュー部材５０と、を介して上記梁５と上記斜材１５とを接合するものとなっている。
【００２９】
上記第１のスクリュー部材２０は、図４に示すように、棒状の鋼部材である軸部２１の側面に螺旋状の翼体２２を設けたものであり、梁５にねじ込まれた状態で翼体２２が梁５と係合し、相互間でこの第１のスクリュー部材２０の軸線方向及び軸線と直角方向に力が伝達されるものとなっている。また、この第１のスクリュー部材２０の端面２３から軸線方向にネジ穴２４が設けられており、内周面に雌ネジが切削されている。この雌ネジには、接続ボルト３０をねじり合せ、連結することができるものとなっている。
【００３０】
上記第１のスクリュー部材２０は、ほぼ水平方向に支持された梁５に対して斜め上方から該梁５の中心軸線を越えて下面近くまでねじ込まれている。そして、ねじ込んだ後端は、梁５の上面とほぼ同じ位置又は上面よりさらにねじ込まれた位置となっている。第１のスクリュー部材２０をねじ込むときの後方の端面２３には、図４に示すように、ネジ穴２４の周囲に放射方向の４つの溝２５が形成されている。これらの溝２５は、第１のスクリュー部材２０を梁５にねじ込むときに後方側から工具（図示しない）を係止することができるものとなっており、工具を介して軸線回りに回転させることができるものである。したがって、梁５に対して第１のスクリュー部材２０を上面より下側までねじ込むことができる。
【００３１】
上記接続ボルト３０は、図５に示すように、上記第１のスクリュー部材２０に設けられたネジ穴２４にねじこむことができるネジ部３１と、このネジ部に連続する頭部３２とを有するものである。頭部３２は軸線方向の寸法が通常のボルトより長く、梁５にねじ込まれた第１のスクリュー部材２０のネジ穴２４にねじ込んだときに、梁５から上記頭部３２が突出するものとなっている。つまり、上記頭部３２は、梁５の表面から突出して接合金具４０の斜材１５の軸線と垂直な面に突き当てて結合することができる長さを有するものとなっている。また、この頭部３２には端面３３から軸線方向にネジ穴３４が形成され、接合金具４０を連結するための連結用ボルト６１をねじ込むことができるものである。
【００３２】
上記接合金具４０は、図６に示すように、互いに対向する二つの対向板部４１，４２と、これらを連結する側板部４３とを備え、側板部４３は、対向板部４１，４２の周縁に沿った一部でこれらの対向板部間を開放するように設けられている。
一方の対向板部４１にはボルト孔４４が設けられ、このボルト孔４４に二つの対向板部の間から連結用ボルト６２を挿通することができる。この連結用ボルト６２を第２のスクリュー部材５０のネジ穴にねじ込み、接合金具４０を締め付けて固着するものとなっている。
【００３３】
他方の対向板部４２には円孔が形成され、この円孔には箱状となった接合金具４０の内側から円形プレート４６が嵌め入れられ、周縁部が対向板部４２に当接されている。そして、円形プレート４６は円孔内に嵌め入れられた状態で周方向の回転が可能となっている。この円形プレート４６には、連結用ボルト６１を挿通することができる長孔４７が設けられており、この長孔４７は円形プレート４６の中心から半径方向に軸線を有するものとなっている。したがって、長孔４７内の連結用ボルト６１が挿通される位置を調整するとともに、円形プレート４６を回転して長孔４７の軸線の方向を調整することにより、連結用ボルト６１と接合金具４０との相対的な位置を調整することができるものとなっている。
このような対向板部４２が、第１のスクリュー部材２０に連結された接続ボルト３０の頭部の端面３３に当接され、上記円形プレートの長孔４７に挿通された連結用ボルト６１が接続ボルト３０の頭部に設けられたネジ穴３４にねじ込まれている。この連結ボルト６１を締め付けることにより、位置を調整しながら接合金具４０を、接続ボルト３０を介して第１のスクリュー部材２０に固着するものとなっている。
【００３４】
なお、接合金具４０は、斜材から引張力又は圧縮力が作用したときに大きな変形が生じたり、連結用ボルト６１，６２の破断、スクリュー部材周辺の木材の破損より先に破壊が生じたりしないように設定しておくのが望ましく、接合金具４０が十分な強度と剛性を有するように、部材厚の設定及び材料の選択を行うのがよい。
【００３５】
上記第２のスクリュー部材５０は、図４に示す第１のスクリュー部材２０と同じものを用いることができ、斜材１５の端面から該斜材１５の軸線方向にねじ込まれている。
【００３６】
上記斜材１５の端部は、図３に示すように、この斜材１５と接合される梁５に近い部分に、該斜材１５の軸線に対して傾斜し、梁５の表面すなわち梁の上面にほぼ平行となって該梁５に当接される当接面１５ａを備えている。また、梁５から離れた部分には該斜材１５の軸線と垂直となった垂直面１５ｂを有するものとなっている。当接面１５ａは垂直面１５ｂの位置より斜材１５の先端側に突き出した部分に形成されており、当接面１５ａと垂直面１５ｂとの間には、斜材５の軸線とほぼ平行となった軸方向面１５ｃが形成されている。上記第２のスクリュー部材５０は、垂直面１５ｂから斜材１５の軸線方向にねじ込まれており、接合金具４０の一方の対向板部４１が垂直面１５ｂと対向し、第２のスクリュー部材５０の端面に突き当てられている。そして、該第２のスクリュー部材５０に連結用ボルト６２によって固着されている。このとき接合金具４０の側板部４３は、斜材１５の端部に形成された上記軸方向面１５ｃと接触又は近接するように固着される。近接する位置に固着されるときには、例えば隙間を２ｍｍ以下とすることができる。
【００３７】
このように斜材１５と梁５とを接合するときには、梁５に第１のスクリュー部材２０をねじ込むとともに、第１のスクリュー部材の端面に設けられたネジ穴２４には接続ボルト３０をねじ込んで連結する。一方、斜材１５には、垂直面１５ｂから軸線方向に第２のスクリュー部材５０をねじ込む。そして、接合金具４０のボルト孔が形成された対向板部４１を第２のスクリュー部材５０の端面に対向させ、連結用ボルト６２によって第２のスクリュー部材５０に固着しておく。この斜材１５を柱６と梁５との間で斜めに支持し、斜材１５の当接面１５ａを梁５の上面に当接させた状態で接合金具４０の円孔が設けられた対向板部４２を接続ボルト３０の頭部の端面３３に突き当てる。円形プレート４６に設けられた長孔４７には連結用ボルト６１を挿通し、接続ボルト３０のネジ穴３４にねじ込んで接合金具４０を締め付け、接続ボルト３０と接合金具４０とを連結する。これにより、第１のスクリュー部材２０、接続ボルト３０、接合金具４０及び第２のスクリュー部材５０を介して梁５と斜材１５とが接合される。
なお、接合金具４０は斜材１５に固着する前に梁５にねじ込まれた第１のスクリュー部材２０に接続ボルト３０を介して装着しておいてもよい。このときには接合金具４０のボルト孔が設けられた対向板部４１を接続ボルト３０に当接して固着しておく。そして、斜材１５にねじ込まれた第２のスクリュー部材５０の端面を接合金具４０の円孔が設けられた対向板部４２に突き当て、連結用ボルト６２で接合金具４０と第２のスクリュー部材５０とを連結することができる。
【００３８】
このような斜材の接合構造では、第１のスクリュー部材２０、接続ボルト３０、接合金具４０及び第２のスクリュー部材５０を介して梁５と斜材１５との間で軸力が伝達される。そして、第１のスクリュー部材２０と木部材である梁５との間では、周面に翼体２２が形成された第１のスクリュー部材２０の周面の広い範囲に分布して斜材１５の軸線方向の力が伝達される。したがって、大きな引張力に耐え得る構造とすることが可能になるとともに、梁５の高さ方向における一部に力が集中することが回避され、第１のスクリュー部材２０と梁５との間で生じる相対的な変位を小さく抑えることができる。また、第２のスクリュー部材５０と木部材である斜材１５との間でも同様に相互間の変位が小さく抑えられる。
【００３９】
以上に説明した斜材の接合構造は、梁５と斜材１５とを接合するものであったが、同じ斜材１５と柱６とを接合する部分にも、図７に示すように、同じ構造を採用することができる。
柱６と斜材１５とを接合するときには、第１のスクリュー部材７１を斜材１５の軸線方向であって柱６に対して傾斜した方向にねじ込む。そして、端面に設けられたネジ穴には接続ボルト７２をねじ込んで連結する。斜材１５の端部には垂直面１５ｂｂと柱６に近い部分に当接面１５ａａが形成されており、当接面を柱６の側面に当接して支持する。垂直面１５ｂｂから斜材の軸線方向にねじ込まれた第２のスクリュー部材７４には連結用ボルト７６によって接合金具７３を固着する。この接合金具７３の側面は、斜材１５の端部の垂直面１５ｂｂと当接面１５ａａとの間に形成されている軸方向面１５ｃｃと接触又は近接するものとする。そして、連結用ボルト７５によって接合金具７３が、第１のスクリュー部材７１に接続された接続ボルト７２に連結される。
【００４０】
一方、図１及び図２に示す木造建築構造躯体では、張り出すように架設された梁５を斜材１５によって上方から吊り支持するものであったが、図８に示すように斜材８１を梁５の下面と梁５を支持する柱２の下部との間に傾斜して支持し、梁５を下方から支持することもできる。この斜材８１と梁５との接合部及び斜材８１と柱２との接合部に本発明の斜材の接合構造を適用することができる。このとき斜材８１には主に圧縮力が作用するものとなるが、引張力が作用するときと同様に、第１のスクリュー部材、接続ボルト、接合金具及び第２のスクリュー部材を介して梁５又は柱２と斜材８１との間で主に斜材の軸線方向の力が伝達される。
【００４１】
なお、本発明は以上に説明した実施の形態に限定されるものではなく、本発明の範囲内で他の形態として実施することもできる。例えば、上記実施の形態では、第１のスクリュー部材２０と接合金具４０との間に接続ボルト３０を介挿したが、接続ボルトを用いることなく、第１のスクリュー部材２０を直接に接合金具４０と連結することもできる。このとき、第１のスクリュー部材２０は十分な長さを有するもの、つまり必要ねじ込み長より長い第１のスクリュー部材を用い、これを梁又は柱にねじ込んだときに一部が梁又は柱から突き出した状態としておく。このようにねじ込まれた第１のスクリュー部材の端面に直接に接合金具の対向板部を当接し、連結用ボルトで第１のスクリュー部材と接合金具とを連結することができる。
また、本発明に係る斜材の接合構造で用いられる第１のスクリュー部材、２のスクリュー部材、接合金具、接続ボルト等は、その形状及び寸法を適宜に変更して使用することができる。
【００４２】
さらに、本発明に係る斜材の接合構造は、片持ち状に張り出した梁を支持する斜材の接合に限定されるものではなく、地震時の水平方向力に抵抗する斜材等の接合に本発明の斜材の接合構造を適用することもできる。
【符号の説明】
【００４３】
１：木造建築構造躯体の張り出し部，  ２，３：柱，  ４：基礎，  ５：梁，  ６，７：柱，  ８：梁，  ９，１０：柱，  １１：梁，  １２，１３：柱，  １４：梁，  １５，１６，１７：斜材，  １５ａ，１５ａａ：斜材端部の当接面，  １５ｂ，１５ｂｂ：斜材端部の垂直面，  １５ｃ，１５ｃｃ：斜材端部の軸方向面，  １８：軸柱，  １９：横梁，
２０：第１のスクリュー部材，２１：軸部，  ２２：螺旋状の翼体，  ２３：第１のスクリュー部材の端面，  ２４：端面に設けられたネジ穴，  ２５：ネジ穴の周囲に設けられた溝，
３０：接続ボルト，  ３１：ネジ部，  ３２：頭部，  ３３：頭部の端面，  ３４：ネジ穴，
４０：接合金具，  ４１，４２：対向板部，  ４３：側板部，  ４４：ボルト孔，  ４６：円形プレート，  ４７：長孔、
５０：第２のスクリュー部材，
６１，６２：連結用ボルト，
７１：第１のスクリュー部材，  ７２：接続ボルト，  ７３：接合金具，  ７４：第２のスクリュー部材，  ７５，７６：連結用ボルト，
８１：斜材
【図１】
0006375260.tif 000002
【図２】
0006375260.tif 000003
【図３】
0006375260.tif 000004
【図４】
0006375260.tif 000005
【図５】
0006375260.tif 000006
【図６】
0006375260.tif 000007
【図７】
0006375260.tif 000008
【図８】
0006375260.tif 000009